(57)【要約】      （修正有）【課題】適正な音声でタイミングよく、場所にあった工事案内音声を発生し、交通誘導警備員等の負担軽減を図ることができる工事案内装置を提供する。【解決手段】工事案内装置は、工事案内が表示された表示板２と、表示板に設けた音声装置４と、音声装置から所望の音声を発生するよう制御する制御装置５とよりなり、制御装置は、複数の工事案内が記憶された案内記憶部と、複数の工事案内から、一の工事案内を選択する工事案内選択部と、選択された工事案内を音声装置から発生させる音声装置制御部とよりなる。【選択図】図２
0003217033.tif 000002
【実用新案登録請求の範囲】
【請求項１】
工事案内が表示された表示板と、
該表示板に設けた音声装置と、
該音声装置から所望の音声を発生するよう制御する制御装置とよりなり、
該制御装置は、複数の工事案内が記憶された案内記憶部と、該複数の工事案内から、一の工事案内を選択する工事案内選択部と、該選択された工事案内を上記音声装置から発生させる音声装置制御部とよりなることを特徴とする工事案内装置。
【請求項２】
上記音声装置制御部を遠隔で操作する遠隔操作装置を更に設け、
上記音声装置制御部は、上記遠隔操作装置が操作された場合に、上記選択された工事案内を上記音声装置から発生するように構成されることを特徴とする請求項１に記載の工事案内装置。
【請求項３】
人や物を検知する検知装置を更に設け、
上記音声装置制御部は、上記検知装置が検知した場合に、上記選択された工事案内を上記音声装置から発生するように構成されることを特徴とする請求項１に記載の工事案内装置。
【請求項４】
上記音声装置制御部を遠隔で操作する遠隔操作装置と、人や物を検知する検知装置と、上記遠隔操作装置と検知装置とのいずれか１を選択する選択スイッチ部とを更に設け、
上記音声装置制御部は、該選択スイッチ部が上記遠隔操作装置に選択されると共に、上記遠隔操作装置が操作された場合には、上記選択された工事案内を上記音声装置から発生させ、
上記選択スイッチ部が検知装置に選択されると共に、上記検知装置が検知した場合に、上記選択された工事案内を上記音声装置から発生させるように構成されることを特徴とする請求項１に記載の工事案内装置。
【請求項５】
上記制御装置に、上記音声装置から発生する音声の音量を調整する音量調整手段を更に設けたことを特徴とする請求項１、２、３または４に記載の工事案内装置。
【請求項６】
上記案内記憶装置に記憶された工事案内を表示した表示部を更に有することを特徴とする請求項１乃至５のいずれか１に記載の工事案内装置。
【請求項７】
上記制御装置は、箱体内に設けられ、上記表示部は箱体に脱着自在に固定されることを特徴とする請求項６に記載の工事案内装置。
【請求項８】
上記表示部に記載した各工事案内とそれぞれ対応する番号を記載すると共に、上記制御装置は、該番号と各工事案内とを対に記憶した記憶部を有し、
上記工事案内選択部は、所望の番号を選択された場合に、該番号に対となる工事案内を選択する制御手段を有することを特徴とする請求項１乃至７のいずれか１に記載の工事案内装置。
【請求項９】
上記案内記憶部に記憶された工事案内は、９以下であることを特徴とする請求項１乃至８のいずれか１に記載の工事案内装置。
【請求項１０】
上記案内記憶部に記憶された工事案内は、６以下であることを特徴とする請求項１乃至８のいずれか１に記載の工事案内装置。
【請求項１１】
上記制御装置は、箱体内に設けられると共に、該箱体の外表面に、該制御装置の操作部が設けられ、
上記箱体に、該操作部を塞ぐ蓋部を更に設けたことを特徴とする請求項１乃至１０のいずれか１に記載の工事案内装置。
【請求項１２】
上記制御装置は、該箱体の外側面に、該制御装置の操作部が設けられ、
上記箱体に、該操作部を塞ぐ蓋部を更に設けられ、
上記表示体は、上記蓋部の内側面に設けたことを特徴とする請求項６に記載の工事案内装置。
【考案の詳細な説明】
【技術分野】
【０００１】
本考案の工事案内装置、特に、表示と音声で工事中であることを案内する装置に関するものである。
【背景技術】
【０００２】
道路において、水道工事などの工事を行う場合、歩行者や自転車に乗っている人に、工事中であることを案内するために、工事案内を表示した看板を設置し、また、歩行者や自転車に乗っている人に、工事中であることを知らせたり、誘導したりするために、交通誘導警備員を配置する場合がある。
【０００３】
また、交通誘導警備員の作業軽減のために、音声発生装置を設けて、工事を行っている旨を、音声で流すようにした場合もある。
【考案の概要】
【考案が解決しようとする課題】
【０００４】
しかしながら、音声を流す装置は、工事案内の内容が一つだけで、その案内内容が場所によっては、ふさわしくない場合がある。
【０００５】
また、工事案内がタイミングよく流れないと、歩行者や自転車に乗っている人に、十分に工事案内を知らせることができない場合がある。
【０００６】
本考案は、工事場所にあった案内で、適正な音声で流せるようにすると共に、工事案内音声をタイミングよく発生られるようにすることを目的とする。
【課題を解決するための手段】
【０００７】
本考案の工事案内装置は、工事案内が表示された表示板と、該表示板に設けた音声装置と、該音声装置から所望の音声を発生するよう制御する制御装置とよりなり、該制御装置は、複数の工事案内が記憶された案内記憶部と、該複数の工事案内から、一の工事案内を選択する工事案内選択部と、該選択された工事案内を上記音声装置から発生させる音声装置制御部とよりなることを特徴とする。
【０００８】
また、上記音声装置制御部を遠隔で操作する遠隔操作装置を更に設け、上記音声装置制御部は、上記遠隔操作装置が操作された場合に、上記選択された工事案内を上記音声装置から発生するように構成されることを特徴とする。
【０００９】
また、人や物を検知する検知装置を更に設け、上記音声装置制御部は、上記検知装置が検知した場合に、上記選択された工事案内を上記音声装置から発生するように構成されることを特徴とする。
【００１０】
また、上記音声装置制御部を遠隔で操作する遠隔操作装置と、人や物を検知する検知装置と、上記遠隔操作装置と検知装置とのいずれか１を選択する選択スイッチ部とを更に設け、上記音声装置制御部は、該選択スイッチ部が上記遠隔操作装置に選択されると共に、上記遠隔操作装置が操作された場合には、上記選択された工事案内を上記音声装置から発生させ、上記選択スイッチ部が検知装置に選択されると共に、上記検知装置が検知した場合に、上記選択された工事案内を上記音声装置から発生させるように構成されることを特徴とする。
【００１１】
また、上記制御装置に、上記音声装置から発生する音声の音量を調整する音量調整手段を更に設けたことを特徴とする。
【００１２】
また、上記案内記憶装置に記憶された工事案内を表示した表示部を更に有することを特徴とする。
【００１３】
また、上記制御装置は、箱体内に設けられ、上記表示部は箱体に脱着自在に固定されることを特徴とする。
【００１４】
また、上記表示部に記載した各工事案内とそれぞれ対応する番号を記載すると共に、上記制御装置は、該番号と各工事案内とを対に記憶した記憶部を有し、上記工事案内選択部は、所望の番号を選択された場合に、該番号に対となる工事案内を選択する制御手段を有することを特徴とする。
【００１５】
また、上記案内記憶部に記憶された工事案内は、９以下であることを特徴とする。
【００１６】
また、上記案内記憶部に記憶された工事案内は、６以下であることを特徴とする。
【００１７】
また、上記制御装置は、箱体内に設けられると共に、該箱体の外表面に、該制御装置の操作部が設けられ、上記箱体に、該操作部を塞ぐ蓋部を更に設けたことを特徴とする。
【００１８】
また、上記制御装置は、該箱体の外側面に、該制御装置の操作部が設けられ、上記箱体に、該操作部を塞ぐ蓋部を更に設けられ、上記表示体は、上記蓋部の内側面に設けたことを特徴とする。
【図面の簡単な説明】
【００１９】
【図１】本考案の工事案内装置の正面側の説明用斜視図を示す。
【図２】本法案の工事案内装置の背面側の説明用斜視図を示す。
【図３】本法案の箱体の蓋部を開いた状態の説明用正面図を示す。
【図４】本法案の制御装置の説明図を示す。
【考案を実施するための形態】
【００２０】
以下図面によって本考案の実施例を説明する。
【実施例１】
【００２１】
（１．工事案内装置の説明）
【００２２】
図１〜図４は、本考案の工事案内装置を示し、該工事案内装置１は、前面（正面）に、工事中である旨や誘導案内や注意案内など、人や自転車に乗る人に注意を促す工事案内が表示された表示板２と、該表示板２を支持する支持台３と、上記表示板２の裏面又は上記支持台３に設けられたスピーカーなどの音声装置４と、該音声装置４から所望の工事案内を流すよう制御する制御装置５と、センサーなどにより、人や物を検知する検知装置６と、該制御装置５を遠隔で装置するリモコンなどの遠隔操作装置７とよりなる。
【００２３】
上記制御装置５は、例えば、直方体状の防水の箱体８内に設けられ、該制御装置５は、例えば、図４に示すように、複数の工事案内が記憶された案内記憶部５ａと、該案内記憶部５ａに記憶された複数の工事案内から、１の工事案内を選択する工事案内選択部５ｂと、上記遠隔操作装置７が操作された時、または、上記検知装置６により、人又は物を検知した時に、上記選択された工事案内を、上記音声装置４から発生させる音声装置制御部５ｃと、上記音声装置４の音量を制御する音量制御部５ｄと、上記遠隔操作装置７からの信号を受信する受信装置５ｅと、各種演算処理や記憶をする演算記憶処理装置５ｆとよりなる。
【００２４】
なお、上記案内記憶部５ａは、上記箱体８から脱着可能であってもよく、該案内記憶部５ａは、例えば、ＳＤカードなどの外部記憶装置がある。
【００２５】
また、上記箱体８の前面８ａには、図３及び図４に示すように、上記脱着可能な案内記憶部５ａを脱着可能に接続する接続部９を設ける。
【００２６】
また、上記前面８ａには、上記工事案内選択部５ｂを操作する選択部操作部１０を設け、該選択部操作部１０は、例えば、１から９までの番号が記載された回転式ツマミからなり、該回転式ツマミを回転させて、いずれか１の番号を選択できるように形成されている。
【００２７】
また、上記前面８ａには、上記音量制御部５ｄを制御する音量調整操作部１１を設け、該音量調整操作部１１を操作することにより、上記音声装置４からの音量を調整することができるようになる。なお、上記音量制御部５ｄと上記音量調整操作部１１とにより、音声調整手段が構成される。
【００２８】
また、上記前面８ａには、バッテリーや電池などの電源部を上記制御装置５に接続する電源接続部１２と、上記制御装置７の電源のオンオフスイッチ部１３が設けられる。
【００２９】
また、上記音声装置制御部５ｃが、遠隔操作装置７と検知装置６とのいずれか１により操作されるように選択するリモコン／センサー選択スイッチ部１４とが設けられる。
【００３０】
また、該箱体８の前面８ａには、該前面８ａを防水に塞ぐ開閉自在な蓋部１５が設けられ、また、該蓋部１５の内側面には、上記案内記憶部５ａに記憶された各工事案内の内容が記載された紙や板などの表示部１６が、脱着可能に設けられている。
【００３１】
なお、該表示部１６は、例えば、上記蓋部１５の外側面に脱着自在に固定するようにしてもよい。
【００３２】
上記案内記憶部５ａに記憶された工事案内としては、例えば、「水道工事中につき自転車の方は恐れ入りますが安全のため降りてのご通行にご協力ください。」、「ご通行中の皆様へ、工事中につき迂回をお願いしております。ご不便をお掛けいたします。」、「只今水道工事を行っております。ご不便をお掛けいたします。」、「水道工事中につき段差がありますので足下に気を付けてご通行下さい。」、「ただいま、水道工事跡の舗装工事を実施しております。ご不便をお掛けいたしますが、ご注意してお通り下さい。」、「水道工事中につき、自転車の方は徐行してお通り下さい。」の６つの工事案内がある。
【００３３】
また、上記表示部１６には、例えば、上記案内記憶部５ａに記憶された６つの工事案内と、該工事案内に対応して、例えば、１から６の番号が対に記載され、また、上記制御装置５は、該番号と各工事案内とを対にして記憶した記憶部を有し、また、上記工事案内選択部５ｂは、該番号と対となる工事案内を選択する制御手段を有する。そして、該番号を上記選択部操作部１０で選択することにより、上記音声装置４から、上記番号に対に記憶された工事案内が流れるようになる。
【００３４】
なお、上記案内記憶部５ａには、水道工事用の複数の工事案内を記憶した案内記憶部や、道路工事用の複数の案内を記憶した案内記憶部など、目的に応じた複数の案内記憶部を用いるようにし、記憶して表示させる工事案内数を、例えば、９以下、好ましくは６以下とすることにより、工事管理者や交通誘導警備員などが、工事案内の選択をしやすくなる。
【００３５】
（２．使用方法の説明）
【００３６】
本考案は、上記のような構成であるから、工事管理者や交通誘導警備員などが、工事を行う場所に、上記工事案内装置１を設置する。そして、上記箱体８の蓋部１５を開けて、必要に応じて、電源接続部１２に例えば、電池を入れ、また、複数の工事案内が記憶された案内記憶部５ａを、上記接続部９に接続すると共に、該案内記憶部５ａに対応する表示部１６を上記蓋部１５の内側面に固定するようにする。
【００３７】
そして、上記オンオフスイッチ部１３を操作して、上記制御装置５の電源を入れ、工事を行う場所や、時間帯に応じて、上記表示部１６に記載された所望の工事案内の番号に、回転式の選択部操作部１０を回転させて、所望の工事案内を選択するようにする。
【００３８】
また、上記音量調整操作部１１を、例えば回転操作して、昼間であれば、音量を大きく、夜であれば、音量を小さくするようにする。
【００３９】
また、リモコン／センサー選択スイッチ部１４を操作して、遠隔操作装置７を操作することにより、工事案内が流れるようにするか、又は、上記検知装置６の検知により工事案内がながれるかを選択するようにする。
【００４０】
例えば、上記検知装置６の検知により工事案内が流れるようにした場合には、人や自転車が通過した時に、センサーにより検知し、選択された工事案内がスピーカーから流れるようになる。
【００４１】
また、上記遠隔操作装置７の操作により、工事案内が流れるようにした場合には、交通誘導警備員が、例えば、上記遠隔操作装置７のボタン７ａを押した時に、工事案内が流れるようになる。
【００４２】
（３．本考案の効果）
【００４３】
本考案によれば、工事の場所や時間帯に応じて、適切な音量で、適切な工事案内をすることができるようになる。
【００４４】
また、水道工事用の複数の案内を記憶した案内記憶部や、道路工事用の複数の案内を記憶した案内記憶部など、目的に応じた複数の案内記憶部を用いることにより、そして、その工事案内数を６つや７つぐらいに限定することにより、工事管理者や交通誘導警備員などが利用しやすくなる。
【００４５】
また、蓋の内側面に工事案内が記載されているので、工事管理者や交通誘導警備員にとって、工事案内の選択が容易になり、しかも、例えば、工事案内の数が、例えば、９以下、好ましくは６以下に抑えられているので、表示部１６に書きれないようなことがない。
【００４６】
また、交通誘導警備員は、長い文章の案内を言う必要がなく、ボタンを押すだけで、適切な工事案内が流れるので、警備の負担軽減を図ることができる。
【符号の説明】
【００４７】
１      工事案内装置
２      表示板
３      支持台
４      音声装置
５      制御装置
５ａ    案内記憶部
５ｂ    工事案内選択部
５ｃ    音声装置制御部
５ｄ    音量制御部
５ｅ    受信装置
５ｆ    演算記憶処理装置
６      検知装置
７      遠隔操作装置
７ａ    ボタン
８      箱体
８ａ    前面
９      接続部
１０    選択部操作部
１１    音量調整操作部
１２    電源接続部
１３    オンオフスイッチ部
１４    リモコン／センサー選択スイッチ部
１５    蓋部
１６    表示部
【図１】
0003217033.tif 000003
【図２】
0003217033.tif 000004
【図３】
0003217033.tif 000005
【図４】
0003217033.tif 000006
【手続補正書】
【提出日】平成30年5月11日(2018.5.11)
【手続補正１】
【補正対象書類名】実用新案登録請求の範囲
【補正対象項目名】全文
【補正方法】変更
【補正の内容】
【実用新案登録請求の範囲】
【請求項１】
工事案内が表示された表示板と、
該表示板に設けた音声装置と、
該音声装置から所望の音声を発生するよう制御する制御装置とよりなり、
該制御装置は、複数の工事案内が記憶された案内記憶部と、該複数の工事案内から、一の工事案内を選択する工事案内選択部と、該選択された工事案内を上記音声装置から発生させる音声装置制御部とよりなることを特徴とする工事案内装置。
【請求項２】
上記音声装置制御部を遠隔で操作する遠隔操作装置を更に設け、
上記音声装置制御部は、上記遠隔操作装置が操作された場合に、上記選択された工事案内を上記音声装置から発生するように構成されることを特徴とする請求項１に記載の工事案内装置。
【請求項３】
人や物を検知する検知装置を更に設け、
上記音声装置制御部は、上記検知装置が検知した場合に、上記選択された工事案内を上記音声装置から発生するように構成されることを特徴とする請求項１に記載の工事案内装置。
【請求項４】
上記音声装置制御部を遠隔で操作する遠隔操作装置と、人や物を検知する検知装置と、上記遠隔操作装置と検知装置とのいずれか１を選択する選択スイッチ部とを更に設け、
上記音声装置制御部は、該選択スイッチ部が上記遠隔操作装置に選択されると共に、上記遠隔操作装置が操作された場合には、上記選択された工事案内を上記音声装置から発生させ、
上記選択スイッチ部が検知装置に選択されると共に、上記検知装置が検知した場合に、上記選択された工事案内を上記音声装置から発生させるように構成されることを特徴とする請求項１に記載の工事案内装置。
【請求項５】
上記制御装置に、上記音声装置から発生する音声の音量を調整する音量調整手段を更に設けたことを特徴とする請求項１、２、３または４に記載の工事案内装置。
【請求項６】
上記案内記憶装置に記憶された工事案内を表示した表示部を更に有することを特徴とする請求項１乃至５のいずれか１に記載の工事案内装置。
【請求項７】
上記制御装置は、箱体内に設けられ、上記表示部は箱体に脱着自在に固定されることを特徴とする請求項６に記載の工事案内装置。
【請求項８】
上記表示部に記載した各工事案内とそれぞれ対応する番号を記載すると共に、上記制御装置は、該番号と各工事案内とを対に記憶した記憶部を有し、
上記工事案内選択部は、所望の番号を選択された場合に、該番号に対となる工事案内を選択する制御手段を有することを特徴とする請求項６または７に記載の工事案内装置。
【請求項９】
上記案内記憶部に記憶された工事案内は、９以下であることを特徴とする請求項１乃至８のいずれか１に記載の工事案内装置。
【請求項１０】
上記案内記憶部に記憶された工事案内は、６以下であることを特徴とする請求項１乃至８のいずれか１に記載の工事案内装置。
【請求項１１】
上記制御装置は、箱体内に設けられると共に、該箱体の外表面に、該制御装置の操作部が設けられ、
上記箱体に、該操作部を塞ぐ蓋部を更に設けたことを特徴とする請求項１乃至１０のいずれか１に記載の工事案内装置。
【請求項１２】
上記制御装置は、該箱体の外側面に、該制御装置の操作部が設けられ、
上記箱体に、該操作部を塞ぐ蓋部を更に設けられ、
上記表示部は、上記蓋部の内側面に設けたことを特徴とする請求項７に記載の工事案内装置。
【手続補正２】
【補正対象書類名】明細書
【補正対象項目名】００１８
【補正方法】変更
【補正の内容】
【００１８】
また、上記制御装置は、該箱体の外側面に、該制御装置の操作部が設けられ、上記箱体に、該操作部を塞ぐ蓋部を更に設けられ、上記表示部は、上記蓋部の内側面に設けたことを特徴とする。